(57)【要約】【課題】ミスコピーを防止可能な画像形成装置を提供する。【解決手段】画像形成装置１Ａでは、ＲＡＭ２２に格納されている設定を記録紙上に形成される画像に反映させるために、設定適用部３２が画像処理を行っている。状態変化検出部３１は、原稿トレイ１７３または原稿ガラス１１１ａにおける原稿Ｄの向きの変更を検出すると、コピーに適用した場合の効果が原稿Ｄのセット方向に依存する設定を、原稿セット方向の変更にあわせて更新する。【選択図】図４
2006174199.tif 000002
【特許請求の範囲】
【請求項１】
与えられた設定に従って原稿から記録紙へ画像を複写する複写手段と、前記複写手段による複写の対象となる原稿がセットされる原稿セット部と、前記原稿セット部における原稿の向きの変更を検出する検出手段とを備え、前記検出手段が原稿の向きの変更を検出すると、複写に適用した場合の効果が原稿の向きに依存する設定を原稿の向きの変更にあわせて更新することを特徴とする画像形成装置。
【請求項２】
与えられた設定に従って原稿から記録紙へ画像を複写する複写手段と、前記複写手段による複写の対象となる原稿がセットされる原稿セット部と、前記原稿セット部における原稿の向きの変更を検出する検出手段とを備え、前記検出手段が原稿の向きの変更を検出すると、複写に適用した場合の効果が原稿の向きに依存する設定の確認を促すメッセージを出力することを特徴とする画像形成装置。
【請求項３】
与えられた設定に従って原稿上の画像を記録紙上へ複写する複写手段と、前記複写手段による複写の対象となる原稿がセットされる原稿セット部と、前記原稿セット部への原稿のセットのやり直しを検出する検出手段とを備え、前記検出手段が原稿のセットのやり直しを検出すると、複写に適用した場合の効果が原稿の向きに依存する設定の確認を促すメッセージを出力することを特徴とする画像形成装置。
【請求項４】
与えられた設定に従って原稿から記録紙へ画像を複写する複写手段と、前記複写手段による複写の対象となる原稿がセットされる原稿セット部と、前記原稿セット部における原稿の向きの変更を検出する検出手段とを備え、前記検出手段が原稿の向きの変更を検出すると、複写に適用した場合の効果が原稿の向きに依存する設定を原稿の向きの変更にあわせて更新することの要否を操作者に問い合わせるとともに、操作者から更新指示が与えられた場合に、複写に適用した場合の効果が原稿の向きに依存する設定を原稿の向きの変更にあわせて更新することを特徴とする画像形成装置。
【発明の詳細な説明】
【技術分野】
【０００１】
本発明は、原稿から記録紙へ画像を複写する画像形成装置に関する。
【背景技術】
【０００２】
従来より、原稿上の画像を記録紙上へコピー（複写）する画像形成装置において、記録紙にステープル加工やパンチ加工を行うフィニッシャを装着することが行われている。このような画像形成装置の中には、装置構成を簡単にするために、ステープル加工やパンチ加工を行うことができる記録紙の辺を記録紙の排出方向に対して固定された特定の辺に制限したものもある。
【０００３】
このような画像形成装置では、原稿から記録紙へコピーされる画像に対するステープル加工やパンチ加工の位置を所望の位置にするために、操作者が、画像形成装置への原稿のセット方向を変更することがある。例えば、図１２に示すように、画像形成装置が記録紙Ｐの排出方向に向かって左方の辺のみにパンチ加工（ふたつのパンチ孔ＰＮの形成）を行う場合、原稿Ｄから記録紙Ｐへコピーされる画像Ｉとパンチ孔ＰＮとの位置関係を記録紙Ｐ１の位置関係から記録紙Ｐ２の位置関係へするために、画像形成装置への原稿Ｄのセット方向を、操作者が、原稿Ｄ１のセット方向から原稿Ｄ２のセット方向へ変更することがある。
【０００４】
なお、特許文献１には、原稿のセットの仕方を変更するだけで、原稿の読取条件や読取後の画像処理が原稿の種類に合わせて自動的に変更される技術が開示されている。
【０００５】
【特許文献１】特開２００３−２８８５４３号公報
【発明の開示】
【発明が解決しようとする課題】
【０００６】
一方、原稿上の画像を記録紙上へコピーする画像形成装置において、コピーに適用される設定（コピー条件）の中に、原稿のセット方向にその効果が依存する設定が含まれることがある。例えば、画像の倍率を原稿の縦方向と横方向とで独立して設定可能な場合（独立変倍機能を有する場合）における縦方向および横方向の倍率や、とじしろの幅を原稿の上下左右の辺で独立して設定可能な場合における上下左右の各辺のとじしろ幅が、コピーに適用される設定の中に含まれる場合がある。
【０００７】
原稿のセット方向にその効果が依存する設定がコピーに適用される場合、先述したような原稿のセット方向の変更が行われると、コピーへの設定の適用が操作者の意図と異なるものとなることがある。例えば、図１３に示すように、原稿Ｄの縦方向の倍率をＸ倍、横方向の倍率をＹ倍に設定している場合に原稿Ｄのセット方向が変更されると、記録紙上へコピーされる画像Ｉが記録紙Ｐ４上の画像Ｉ４のようになり、操作者が意図する記録紙Ｐ３上の画像Ｉ３が得られないミスコピーが発生する。
【０００８】
本発明は、この問題を解決するためになされたもので、ミスコピーを防止可能な画像形成装置を提供することを目的とする。
【課題を解決するための手段】
【０００９】
上記課題を解決するため、請求項１の発明は、与えられた設定に従って原稿から記録紙へ画像を複写する複写手段と、前記複写手段による複写の対象となる原稿がセットされる原稿セット部と、前記原稿セット部における原稿の向きの変更を検出する検出手段とを備え、前記検出手段が原稿の向きの変更を検出すると、複写に適用した場合の効果が原稿の向きに依存する設定を原稿の向きの変更にあわせて更新する。
【００１０】
請求項２の発明は、与えられた設定に従って原稿から記録紙へ画像を複写する複写手段と、前記複写手段による複写の対象となる原稿がセットされる原稿セット部と、前記原稿セット部における原稿の向きの変更を検出する検出手段とを備え、前記検出手段が原稿の向きの変更を検出すると、複写に適用した場合の効果が原稿の向きに依存する設定の確認を促すメッセージを出力する。
【００１１】
請求項３の発明は、与えられた設定に従って原稿上の画像を記録紙上へ複写する複写手段と、前記複写手段による複写の対象となる原稿がセットされる原稿セット部と、前記原稿セット部への原稿のセットのやり直しを検出する検出手段とを備え、前記検出手段が原稿のセットのやり直しを検出すると、複写に適用した場合の効果が原稿の向きに依存する設定の確認を促すメッセージを出力する。
【００１２】
請求項４の発明は、与えられた設定に従って原稿から記録紙へ画像を複写する複写手段と、前記複写手段による複写の対象となる原稿がセットされる原稿セット部と、前記原稿セット部における原稿の向きの変更を検出する検出手段とを備え、前記検出手段が原稿の向きの変更を検出すると、複写に適用した場合の効果が原稿の向きに依存する設定を原稿の向きの変更にあわせて更新することの要否を操作者に問い合わせるとともに、操作者から更新指示が与えられた場合に、複写に適用した場合の効果が原稿の向きに依存する設定を原稿の向きの変更にあわせて更新する。
【発明の効果】
【００１３】
請求項１の発明によれば、原稿の向きが変更されると、複写に適用した場合の効果が原稿の向きに依存する設定も原稿の向きの変更にあわせて更新されるので、複写のミスを防止可能である。
【００１４】
請求項２の発明によれば、原稿の向きが変更されると、複写に適用した場合の効果が原稿の向きに依存する設定の確認を促すメッセージが出力されるので、複写のミスを防止可能である。
【００１５】
請求項３の発明によれば、原稿のセットのやり直しが行われると、複写に適用した場合の効果が原稿の向きに依存する設定の確認を促すメッセージが出力されるので、複写のミスを防止可能である。また、矩形の原稿が１８０°回転された場合でも、複写に適用した場合の効果が原稿の向きに依存する設定の確認を促すメッセージが表示されるので、ミスコピーを防止可能となる。
【００１６】
請求項４の発明によれば、原稿の向きが変更されると、複写に適用した場合の効果が原稿の向きに依存する設定も原稿の向きの変更にあわせて更新されるので、複写のミスを防止可能である。また、設定の更新が不要である場合には、操作者の意思により設定の更新を省略することもできるので、画像形成装置の利便性がより向上する。
【発明を実施するための最良の形態】
【００１７】
＜第１実施形態＞
本発明の第１実施形態に係る画像形成装置は、ファクシミリ機能およびコピー機能を有する複合機である。当該画像形成装置は、原稿上の画像の読取を行うスキャナと、記録紙上への画像の形成を行うプリンタとを備え、スキャナが読取を行った画像をプリンタで再現することにより、原稿から記録紙への画像のコピー（複写）を実現する。
【００１８】
＜外観構成＞
図１および図２は、本発明の第１実施形態に係る画像形成装置１Ａの概略外観構成を示す図であり、図１がブックカバー１７を閉じた状態の斜視図に相当し、図２がブックカバー１７を開いた状態の斜視図に相当する。
【００１９】
図１および図２に示すように、画像形成装置１Ａは、筐体ＨＳの上面に設けられたスキャナ１１と、筐体ＨＳに内蔵されたプリンタ１２（図１および図２には不図示、図３および図４参照）と、筐体ＨＳにおいて前方へ突出した表示部１３および操作部１４と、筐体ＨＳの下部に設けられた給紙部１５とを備える。さらに、画像形成装置１Ａには、フィニッシング処理を行うフィニッシャ１６が筐体ＨＳの側面に装着され、スキャナ１１へ原稿を給送するＡＤＦ（Automatic Document Feder）１７２を備えるブックカバー１７が筐体ＨＳの上面に取り付けられる。
【００２０】
スキャナ１１は、ＦＢＳ(Flat Bed Scanner)方式およびＡＤＦ方式により、原稿上の画像の読取を行う。図２に示すように、筐体ＨＳの上面には、ＦＢＳ方式による原稿上の画像の読取部となる原稿ガラス１１１ａと、ＡＤＦ方式による原稿上の画像の読取部となる原稿ガラス１１１ｂとが設けられる。原稿ガラス１１１ａ,１１１ｂは、平坦な透明ガラス板で構成されており、筐体ＨＳの内部であってガラス板１１１ａの下方に設けられた光源から、ガラス板上の原稿への照射光を透過するとともに、ガラス板上の原稿から、筐体ＨＳの内部であってガラス板１１１ａの下方に設けられたＣＣＤ(Charge Coupled Device)イメージセンサへの反射光を透過する。なお、原稿ガラス１１１ａは、読取対象の原稿がセット（載置）される第１の原稿セット部ともなっている。一方、原稿ガラス１１１ｂでは、ＡＤＦ１７２から給送されてきた原稿の読取が行われる。
【００２１】
画像形成装置１Ａには、ユーザインターフェースとして、操作部１４および表示部１３が設けられる。操作部１４は、メカニカルスイッチで構成され、ファクシミリ送受信およびコピーに関する各種指示を画像形成装置１Ａに与えるために用いられる。表示部１３は、液晶ディスプレイ等の表示デバイスによって構成され、ファクシミリ送受信およびコピーに関する各種情報を表示する。なお、表示部１３をタッチパネルディスプレイで構成して、表示部１３が操作部１４の一部または全部の機能を兼ね備えるようにしてもよい。
【００２２】
給紙部１５は、前方に引き出し可能な４個の給紙カセット１５１〜１５４を備える。各給紙カセット１５１〜１５４には、所定のサイズ（例えば、Ａ４，Ｂ５等）の記録紙が所定の方向（縦、横）で格納される。
【００２３】
フィニッシャ１６は、画像が形成された記録紙に、ステープル加工やパンチ加工等のフィニッシング処理を施して、排紙トレイ１６１に出力する。図１および図２における矢印ＡＲ１は、画像が形成された記録紙の排出方向を示している。なお、画像形成装置１Ａでは、図５に示すように、記録紙Ｐの排出方向に向かって左方の辺のみにパンチ加工（図５（Ａ）および図５（Ｂ）；ふたつのパンチ孔ＰＮの形成）またはステープル加工（図５（Ｃ）および図５（Ｄ）；ふたつのステープル針ＳＴの打ち込み）を行う。
【００２４】
ブックカバー１７は、ヒンジ１７１を軸として開閉可能となっている。ブックカバー１７の上面に設けられたＡＤＦ１７２は、読取対象の原稿がセットされる原稿トレイ１７３を備えており、原稿ガイド１７４ａ，１７４ｂに沿って差込口１７５にセット（差込）された原稿を原稿ガラス１１１ｂへ給送する。原稿トレイ１７３は、画像形成装置１Ａにおける第２の原稿セット部となっている。なお、一組の原稿ガイド１７４ａ，１７４ｂのうちの一方（ここでは、原稿ガイド１７４ｂ）は、原稿の幅方向（Ｙ方向）に可動となっている。
【００２５】
＜内部構成＞
図３は、画像形成装置１Ａの内部構成を示すブロック図である。
【００２６】
画像形成装置１Ａは、ＭＰＵ（マイクロプロセッサ；MicroProcessor Unit）２０、ＲＯＭ２１およびＲＡＭ２２を備えるマイクロコンピュータを内蔵している。ＭＰＵ２０は、ＲＯＭ２１に格納されたプログラムを読み出して実行することにより、画像形成装置１Ａの各構成を統括制御する。ＲＡＭ２２は、ＭＰＵ２０による統括制御に必要なデータを一時記憶する。ＭＰＵ２０による統括制御により、画像形成装置１Ａの各種機能が実現される。
【００２７】
ＭＰＵ２０は、操作部１４に対する操作を検出して画像形成装置１Ａの動作へ反映させるとともに、表示部１３における表示内容の制御を行う。また、ＭＰＵ２０は、フィニッシャ１６の動作を制御する機能も有する。
【００２８】
スキャナ１１は、ＣＣＤイメージセンサにより原稿上の画像を読み取り、当該画像に係る画像データを生成する。当該画像データは、画像メモリ２３に記憶され、ファクシミリ送信における送信画像データあるいは原稿コピーにおけるコピー画像データとして利用される。
【００２９】
プリンタ１２は、例えば、ＬＥＤプリンタヘッドを有する電子写真方式のプリンタであり、与えられた画像データに係る画像を記録紙上に形成する。
【００３０】
また、画像形成装置１Ａは、ＡＤＦセットセンサ２７１、ＡＤＦ幅検出センサ２７２、ＡＤＦ長さ検出センサ２７３、ＦＢＳセットセンサ２７４、ＦＢＳ幅検出センサ２７５およびＦＢＳ長さ検出センサ２７６を包含するセンサ群２７を備える。センサ群２７の検出信号はＭＰＵ２０へ与えられる。
【００３１】
ＡＤＦセットセンサ２７１は、原稿トレイ１７３への原稿セットを検出するセンサである。ＡＤＦ幅検出センサ２７２およびＡＤＦ長さ検出センサ２７３は、それぞれ、原稿トレイ１７３にセットされた原稿の幅（Ｙ方向の大きさ）および長さ（Ｘ方向の大きさ）を検出するセンサである。ＡＤＦ幅検出センサ２７２としては、原稿ガイド１７４ｂの位置を検出するエンコーダ等が用いられる。ＡＤＦセットセンサ２７１およびＡＤＦ長さ検出センサ２７３としては、原稿トレイ１７３上の所定位置に固定されたメカニカルスイッチ等が用いられる。
【００３２】
一方、ＦＢＳセットセンサ２７４は、原稿ガラス１１１ａへの原稿セットを検出するセンサである。ＦＢＳ幅検出センサ２７５およびＦＢＳ長さ検出センサ２７６は、それぞれ、原稿ガラス１１１ａにセットされた原稿の幅（Ｙ方向の大きさ）および長さ（Ｘ方向の大きさ）を検出するセンサである。ＦＢＳセットセンサ２７４、ＦＢＳ幅検出センサ２７５およびＦＢＳ長さ検出センサ２７６としては、フォトダイオードやフォトトランジスタ等の光センサが用いられる。
【００３３】
また、画像形成装置１Ａは、ＮＣＵ（網制御装置；Network Control Unit）２４、ＭＯＤＥＭ（モデム；MOdulator DEModulator）２５、ＣＯＤＥＣ（符号化・復号器；COderand DECoder）２６および画像メモリ２３を備える。
【００３４】
ＮＣＵ２４は、一般公衆電話回線網（ＰＳＴＮ；Public Switched Telephone Networks）への接続を制御する。ＮＣＵ２４は、通信先の電話番号（ＦＡＸ番号を含む）に対応したダイヤル信号を送出する機能および着信を検出する機能を備える。
【００３５】
ＭＯＤＥＭ２５は、ＩＴＵ（国際電気通信連合）−Ｔ勧告Ｔ．３０に従ったファクシミリ伝送制御手順に基づいて、Ｖ．１７，Ｖ．２７ｔｅｒ，Ｖ．２９等に従った送信データの変調および受信データの復調を行う。あるいは、ＭＯＤＥＭ２５は、これらに加えて、Ｖ．３４に従った送信データの変調および受信データの復調を行う。ＭＯＤＥＭ２５によって変調された送信データは、ＮＣＵ２４を経由してＰＳＴＮへ送出される。また、ＭＯＤＥＭ２５が復調を行う受信データは、ＮＣＵ２４を経由してＰＳＴＮから与えられる。
【００３６】
ＣＯＤＥＣ２６は、画像メモリ２３に記憶された送信画像データをＭＨ，ＭＲおよびＭＭＲ方式等により符号化（エンコード）するとともに、ＭＯＤＥＭ２５によって復調された受信データを復号（デコード）する。復号により得られた受信画像データは画像メモリ２３に記憶される。
【００３７】
画像形成装置１Ａでは、原稿セット部である原稿トレイ１７３または原稿ガラス１１１ａに複写の対象となる原稿がセットされた状態で、操作部１４を介して操作者から与えられたコピー開始指示を検出すると、スキャナ１１によって原稿上の画像の読取が行われる。しかる後に、画像形成装置１Ａでは、読取により生成された画像データがプリンタ１２へ与えられ、当該画像データに係る画像が記録紙上に形成される。これにより、原稿から記録紙への画像のコピーが実現されることになる。
【００３８】
＜コピーへの設定の適用について＞
以下では、原稿から記録紙への画像のコピーに適用される設定（コピー条件）の変更に係る画像形成装置１Ａの機能的構成について図４のブロック図を参照しながら説明する。図４の状態変化検出部３１および設定適用部３２は、ＭＰＵ２０がＲＯＭ２１に格納されたプログラムを読み出して実行することにより実現される機能を示している。
【００３９】
先述したように、原稿から記録紙へのコピーにあたっては、スキャナ１１が生成した画像データがプリンタ１２へ与えられるが、画像形成装置１Ａでは操作者から入力され、ＲＡＭ２２に格納されている設定を記録紙上に形成される画像に反映させるために、設定適用部３２が画像処理を行っている。より具体的には、設定適用部３２は、画像メモリ２３を経由して画像データがスキャナ１１から与えられると、ＲＡＭ２２に格納されている設定を読み出して、記録紙上に形成される画像に当該設定が反映されるような画像処理を与えられた画像データに施した後に、プリンタ１２へ出力している。例えば、設定適用部３２は、縦方向の倍率がＸ倍、横方向の倍率がＹ倍に設定されている場合、記録紙上に形成される画像が原稿上の画像を縦方向にＸ倍、横方向にＹ倍拡大した画像となるような画像処理を与えられた画像データに施してから、プリンタ１２へ出力している。あるいは、設定適用部３２は、上下左右のとじしろ（または枠消去）の幅がＵ，Ｄ，Ｌ，Ｒに設定されている場合、記録紙における上下左右のとじしろ（または枠消去）の幅がＵ，Ｄ，Ｌ，Ｒとなるような画像処理を与えられた画像データに施してから、プリンタ１２へ出力している。これにより、画像形成装置１Ａは、操作部１４を介して操作者から与えられた設定に従って原稿から記録紙へのコピーを行うことができる。
【００４０】
状態変化検出部３１は、センサ群２７から与えられる検出信号に基づいて、原稿トレイ１７３または原稿ガラス１１１ａにおける原稿のセット状態の変化を検出する。さらに状態変化検出部３１は、原稿のセット状態が特定の変化をしたときに、ＲＡＭ２２に格納されている設定のうち、コピーに適用した場合の効果が原稿のセット状態に依存する設定の更新を行うことができるとともに、所定のメッセージを表示部１３に表示させるような制御を行うことができる。
【００４１】
より具体的には、状態変化検出部３１は、図６に示すように、原稿トレイ１７３または原稿ガラス１１１ａにおける原稿Ｄの向き（以下では、「原稿セット方向」とも称する）の変更を検出すると、コピーに適用した場合の効果が原稿Ｄのセット方向に依存する設定（以下では、「原稿セット方向依存設定」とも称する）である、独立変倍機能における縦方向の倍率Ｘおよび横方向の倍率Ｙを、原稿セット方向の変更にあわせて更新する。以下では、このような状態変化検出部３１を備える画像形成装置１Ａのコピー動作について、図７のフローチャートを参照しながら説明する。
【００４２】
図７に示すように、画像形成装置１Ａが動作を開始すると、操作部１４を介して操作者から入力されたコピーの設定がＲＡＭ２２に格納される（ステップＳ１１）。しかる後に、操作部１４を介したコピー開始指示の有無が検出され（ステップＳ１２）、コピー開始指示が検出された場合、原稿Ｄから記録紙Ｐへのコピー処理（ステップＳ１３）が行われて動作フローはステップＳ１１へ戻り、検出されない場合、動作フローはステップＳ１４へ移行する。
【００４３】
ステップＳ１４では、状態変化検出部３１が、原稿セット方向の変更の検出を行い、原稿セット方向の変更が検出されない場合、動作フローはステップＳ１１へ戻り、検出された場合、操作フローはステップＳ１５へ移行する。なお、ステップＳ１４では、状態変化検出部３１は、ＡＤＦ（ＦＢＳ）セットセンサ２７１（２７４）における原稿セットの検出信号が「原稿セットあり」、「原稿セットなし」、「原稿セットあり」の順番で変化し、かつ、ＡＤＦ（ＦＢＳ）幅検出センサ２７２（２７５）、ＡＤＦ（ＦＢＳ）長さ検出センサ２７３（２７６）が検出する原稿の幅と長さとが入れ替わったとき、原稿トレイ１７３（原稿ガラス１１１ａ）において原稿セット方向が変更（原稿が回転）されたと判定する。これにより、操作者が原稿トレイ１７３または原稿ガラス１１１ａにセットされている原稿を持ち上げて、９０°または２７０°回転させてから再度セットすると、状態変化検出部３１は、原稿セット方向が変更されたと判定することになる。
【００４４】
ステップＳ１５では、ＲＡＭ２２に格納されている設定に、原稿セット方向依存設定である独立変倍機能の縦方向の倍率Ｘおよび横方向の倍率Ｙが含まれている（独立変倍機能が有効にされている）かどうかの判定が行われ、含まれている場合は、状態変化検出部３１が、当該設定の更新を行い（ステップＳ１６）、「独立変倍の変倍率を縦と横で入れ換えました」というメッセージを表示部１３に表示させ（ステップＳ１７）、しかる後に動作フローはステップＳ１１へ戻る。一方、含まれていない場合は、動作フローはステップＳ１１へ戻る。なお、ステップＳ１６における設定の更新は、原稿セット方向の変更にあわせて行われる。このため、更新前における縦方向の倍率がＸ倍、横方向の倍率がＹ倍であった場合、更新後における縦方向の倍率はＹ倍、横方向の倍率はＸ倍となり、縦方向と横方向の設定値が原稿の縦横の入れ換えにあわせて入れ換えられることになる。
【００４５】
このような動作フローにより、原稿トレイ１７３または原稿ガラス１１１ａにおいて、原稿セット方向が変更されると、原稿セット方向依存設定も原稿セット方向の変更にあわせて変更されるので、ミスコピーを防止可能である。
【００４６】
＜第２実施形態＞
本発明の第２実施形態に係る画像形成装置１Ｂは、第１実施形態に係る画像形成装置１Ａと類似の構成を有する。このため、図１〜図５についての説明は、画像形成装置１Ｂにもほぼ当てはまる。しかし、画像形成装置１Ｂでは、状態変化検出部３１が、原稿セット方向の変更を検出すると、原稿セット方向依存設定である、上下左右のとじしろ（または枠消去）の幅の確認を促すメッセージを表示部１３に表示させ、ＲＡＭ２２に格納されている設定の変更の更新処理を直接行わない点が、画像形成装置１Ａと異なっている。
【００４７】
以下では、このような状態変化検出部３１を備える画像形成装置１Ｂのコピー動作について、図８のフローチャートを参照しながら説明する。
【００４８】
図８のフローチャートにおいて、ステップＳ２１〜Ｓ２５，Ｓ２７は、それぞれ、図７のフローチャートのステップＳ１１〜Ｓ１５，Ｓ１７に相当している。ただし、図８のフローチャートでは、
（１）ステップＳ２５において、ＲＡＭ２２に格納されている設定に、上下左右のとじしろ（または枠消去）の幅が含まれている（とじしろ機能が有効にされている）かどうかの判定を行っている点、
（２）ステップＳ２７において、「原稿向きが変わったため、意図しないコピーがなされる可能性があります、とじしろ（または枠消去）の幅を確認して下さい。」というメッセージを表示部１３に表示させる点、
の２点が図７のフローチャートとは異なる。
【００４９】
このようなフローチャートにより実現される動作フローでは、ＲＡＭ２２に格納されている設定が自動的に更新されることはないが、操作者はステップＳ２７で表示されたメッセージにより、設定の変更の必要性を認識可能であるので、マニュアル操作（ステップＳ２１）で設定を更新可能となり、ミスコピーを防止可能である。
【００５０】
＜第３実施形態＞
本発明の第３実施形態に係る画像形成装置１Ｃは、第２実施形態に係る画像形成装置１Ｂと類似の構成を有する。このため、図１〜図５についての説明は、画像形成装置１Ｃにもほぼ当てはまる。しかし、画像形成装置１Ｃでは、状態変化検出部３１が、原稿トレイ１７３または原稿ガラス１１１ａへの原稿のセットのやり直しを検出すると、原稿セット方向依存設定である、上下左右のとじしろ（または枠消去）の幅の確認を促すメッセージを表示部１３に表示させる点が、画像形成装置１Ｂと異なっている。
【００５１】
以下では、このような状態変化検出部３１を備える画像形成装置１Ｃにおける、原稿から記録紙への画像のコピーに適用される設定の変更に係る動作について、図９のフローチャートを参照しながら説明する。
【００５２】
図９のフローチャートにおいて、ステップＳ３１〜Ｓ３５，Ｓ３７は、それぞれ、図８のフローチャートのステップＳ２１〜Ｓ２５，Ｓ２７に相当している。ただし、図９のフローチャートでは、ステップＳ３４において、原稿のセットのやり直しの検出を行っている点が図８のフローチャートとは異なる。なお、ステップＳ３４では、ＡＤＦ（ＦＢＳ）セットセンサ２７１（２７４）における原稿セットの検出信号が「原稿セットあり」、「原稿セットなし」、「原稿セットあり」の順番で変化した場合に、原稿のセットのやり直しが行われたと判定している。
【００５３】
このようなフローチャートにより実現される動作フローでは、第２実施形態と同様に、ＲＡＭ２２に格納されている設定が自動的に更新されることはないが、操作者はステップＳ３７で表示されたメッセージにより、設定の変更の必要性を認識可能であるので、マニュアル操作（ステップＳ３１）で設定を更新可能となり、ミスコピーを防止可能である。さらに、このような動作フローでは、矩形の原稿が１８０°回転された場合でも、上下左右のとじしろ（または枠消去）の幅の確認を促すメッセージが表示されるので、ミスコピーを防止可能となる。
【００５４】
＜第４実施形態＞
本発明の第４実施形態に係る画像形成装置１Ｄは、第１実施形態に係る画像形成装置１Ａと類似の構成を有する。このため、図１〜図５についての説明は、画像形成装置１Ｄにもほぼ当てはまる。しかし、画像形成装置１Ｄでは、状態変化検出部３１が、原稿セット方向の変更を検出した場合に、ＲＡＭ２２に格納された設定の更新を行うに先立って、操作者に設定の更新の要否を問い合わせる点が画像形成装置１Ａと異なっている。
【００５５】
以下では、このような状態変化検出部３１を備える画像形成装置１Ｄにおける、原稿から記録紙への画像のコピーに適用される設定の変更に係る動作について、図１０のフローチャートを参照しながら説明する。
【００５６】
図１０のフローチャートにおいて、ステップＳ４１〜Ｓ４７は、それぞれ、図７のフローチャートのステップＳ１１〜Ｓ１７に相当している。ただし、図８のフローチャートでは、ステップＳ４０１およびＳ４０２が追加されている点が図７のフローチャートと異なる。
【００５７】
ステップＳ４５に続くステップＳ４０１では、状態変化検出部３１が、図１１に例示する設定更新問い合わせ画面ＳＣ１を表示部１３に表示させる。設定更新問い合わせ画面ＳＣ１には、「原稿向きが変わったため意図しないコピーがなされる可能性があります。独立変倍の縦と横とを入れ換えますか？」というメッセージＭＥＳに加えて、設定の更新（縦方向と横方向の倍率の入れ換え）指示を画像形成装置１Ｄに与えるためのボタンＢ１と、設定の更新の省略指示を画像形成装置１Ｄに与えるためのボタンＢ１が表示される。
【００５８】
ステップＳ４０１に続くステップＳ４０２では、更新問い合わせ画面ＳＣ１における操作者の指示によって分岐処理が行われ、設定の更新指示が与えられた場合（ボタンＢ１の押下が行われた場合）、動作フローはステップＳ４６に移行して、画像形成装置１Ａと同様の設定更新処理が行われ、設定の更新の省略指示が与えられた場合（ボタンＢ２の押下が行われた場合）、動作フローはステップＳ４１へ戻る。
【００５９】
このようなフローチャートにより実現される動作フローでも、原稿トレイ１７３または原稿ガラス１１１ａにおいて、原稿セット方向が変更されると、原稿セット方向依存設定も原稿セット方向の変更にあわせて変更されるので、ミスコピーを防止可能である。また、設定の更新が不要である場合には、操作者の意思により設定の更新を省略することもできるので、画像形成装置の利便性がより向上する。
【００６０】
＜変形例＞
○メッセージについて；
第１〜第４実施形態では、表示部１３にメッセージが表示される例を示したが、同様のメッセージを音声により操作者へ通知するようにしてもよい。また、警報音や警報ランプの点灯により、操作者へ報知を行うようにしてもよい。
【００６１】
○原稿セット方向の変更の検出について；
第１実施形態では、原稿の幅と長さとが入れ替わったときに原稿セット方向の変更が行われたと判定したが、原稿の幅および長さのいずれかが変化したときに、原稿セット方向の変更が行われたと判定してもよい。
【図面の簡単な説明】
【００６２】
【図１】第１実施形態に係る画像形成装置１Ａの概略外観構成（ブックカバー１７を閉じた状態）を示す斜視図である。
【図２】第１実施形態に係る画像形成装置１Ａの概略外観構成（ブックカバー１７を開いた状態）を示す斜視図である。
【図３】第１実施形態に係る画像形成装置１Ａの内部構成を示すブロック図である。
【図４】原稿から記録紙への画像のコピーに適用される設定の変更に係る画像形成装置１Ａの機能的構成を示すブロック図である。
【図５】記録紙Ｐへのパンチ加工およびステープル加工の状態を示す図である。
【図６】本発明の第１実施形態に係る原稿Ｄから記録紙Ｐへの画像のコピーを説明するための図である。
【図７】第１実施形態に係る画像形成装置１Ａのコピー動作を示すフローチャートである。
【図８】第２実施形態に係る画像形成装置１Ｂのコピー動作を示すフローチャートである。
【図９】第３実施形態に係る画像形成装置１Ｃのコピー動作を示すフローチャートである。
【図１０】第４実施形態に係る画像形成装置１Ｄのコピー動作を示すフローチャートである。
【図１１】設定更新問い合わせ画面ＳＣ１を例示する図である。
【図１２】従来の技術に係る原稿から記録紙への画像のコピーを説明するための図である。
【図１３】従来の技術に係る原稿から記録紙への画像のコピーを説明するための図である。
【符号の説明】
【００６３】
１Ａ〜１Ｄ  画像形成装置
１１  スキャナ
１２  プリンタ
１３  表示部
１４  操作部
１６  フィニッシャ
１１１ａ  原稿ガラス
１７３  原稿トレイ
Ｄ  原稿
Ｐ  記録紙
【図１】
2006174199.tif 000003
【図２】
2006174199.tif 000004
【図３】
2006174199.tif 000005
【図４】
2006174199.tif 000006
【図５】
2006174199.tif 000007
【図６】
2006174199.tif 000008
【図７】
2006174199.tif 000009
【図８】
2006174199.tif 000010
【図９】
2006174199.tif 000011
【図１０】
2006174199.tif 000012
【図１１】
2006174199.tif 000013
【図１２】
2006174199.tif 000014
【図１３】
2006174199.tif 000015